(57)【特許請求の範囲】
【請求項１】
法面(1)に所定の間隔(W)を保持して平面視でほぼマス目状に複数本のアンカーボルト(2)を装入固定し、そのアンカーボルトの頭部(21)を法面から突出させておき、アンカーボルトの頭部(21)の付近にはあらかじめ金網体(3)の下面を支受する下受板(4)を装着しておき、且つ法面(1)に沿って金網体(3)を覆って張設し、アンカーボルトの頭部(21)は金網体の網目(3′)を通じて上方に突出しておき、前記アンカーボルトの頭部(21)に上支受体(5)とナット(6)を装着しておき、前位のワイヤロープ(81)を金網体平面と上支受体(5)の間におけるアンカーボルト(2)に上下方向に山・谷が交互してジグザグ状になるように掛け渡し、隣接する次位のワイヤロープ(82)を前位のワイヤロープを掛け渡したアンカーボルト(2)に当該前位のワイヤロープと逆方向になるように上下方向に山・谷のジグザグ状に掛け渡しながら網状体(7)を成形していき、且つ前位と次位の２本で一対のワイヤロープの両端末部位を巻付グリップ(10)で結合し、当該網状体を金網体(3)に結合コイル(9)で取付けたことを特徴と法面工事における崩壊予防工法。
【請求項２】
法面の縦方向に掘削して設けた排水溝(C)を挟んで間伐丸太(13)を対向横方向で、且つ当該排水溝に向けて下向きに傾斜して配設し、及び当該丸太材を丸太受け用木杭(14)を法面に打ち込んで丸太(13)を支受し、且つ丸太(13)・(13)間に植生基盤材を吹き付けて植生基盤(15)を施した表面にマルチネット体(16)を張設固定した法面(1)に、所定の間隔(W)を保持して平面視でほぼマス目状に複数本のアンカーボルト(2)を装入固定し、そのアンカーボルトの頭部(21)を法面から突出させておき、アンカーボルトの頭部(21)の付近にはあらかじめ金網体(3)の下面を支受する下受板(4)を装着しておき、且つ法面(1)に沿って金網体(3)を覆って張設し、アンカーボルトの頭部(21)は金網体の網目(3′)を通じて上方に突出しておき、前記アンカーボルトの頭部(21)に上支受体(5)とナット(6)を装着しておき、前位のワイヤロープ(81)を金網体平面と上支受体(5)の間におけるアンカーボルト(2)に上下方向に山・谷が交互してジグザグ状になるように掛け渡し、隣接する次位のワイヤロープ(82)を前位のワイヤロープを掛け渡したアンカーボルト(2)に当該前位のワイヤロープと逆方向になるように上下方向に山・谷のジグザグ状に掛け渡しながら網状体(7)を成形していき、且つ前位と次位の２本で一対のワイヤロープの両端末部位を巻付グリップ(10)で結合し、当該網状体を金網体(3)に結合コイル(9)で取付けたことを特徴と法面工事における崩壊予防工法。
【請求項３】
前位のワイヤロープ(81)をアンカーボルト(2)に上下方向に山・谷が交互してジグザグ状に掛け渡した後に、隣接する次位のワイヤロープ(82)を前位のワイヤロープを掛け渡してあるアンカーボルト(2)に掛止する際に当該前位のワイヤロープ(81)の上から下に潜らして掛け渡しながら網状体を成形した請求項１又は請求項２記載の法面工事における崩壊予防工法。
【請求項４】
法面(1)に所定の間隔(W)を保持して平面視でほぼマス目状に装入固定した下受板(4)を装着した複数本のアンカーボルト(2)と、法面(1)に沿って覆って張設した金網体(3)と、当該金網体の平面と金網体のマス目から突出したアンカーボルト(2)に装着した上支受体(5)の間にワイヤロープ(8)を上下方向に山・谷が交互してジグザグ状に掛け渡して形成した網状体(7)とから成り、金網体(3)と網状体(7)を適宜の個所で結合コイル(9)で結合し、且つアンカーボルト(2)に巻き掛けて対向する２本一対のワイヤロープ端末部位に巻付グリップ(10)を取付けたことを特徴とする法面工事における崩壊予防工法に用いる法面被覆保護具。
【請求項５】
前位のワイヤロープ(81)をアンカーボルト(2)に掛け渡した前位のワイヤロープ(81)に対して隣接する次位のワイヤロープ(82)を上から下に潜らせて掛け渡しながら網状体(7)を成形した請求項４記載の法面工事における崩壊予防工法に用いる法面被覆保護具。
【請求項６】
ワイヤロープ(8)を複数本とし、その複数本のワイヤロープを各アンカーボルト(2)にマス目状に掛け渡すときに一纏めにし、且つ当該ロープを掛け渡した２本一対のアンカーボルト間の中程において複数本のワイヤロープ(8)を所定の間隔(ｗ′)を保持する間隔保持体(11)を配置し、当該間隔保持体にワイヤロープを掛止した請求項４又は請求項５記載の法面工事における崩壊予防工法に用いる法面被覆保護具。
【請求項７】
ワイヤロープ(8)を複数本とし、その複数本のワイヤロープを各アンカーボルト(2)にマス目状に掛け渡すときに一纏めにし、且つ当該ロープを掛け渡した２本一対のアンカーボルト間の中程に複数本のワイヤロープ(8)を所定の間隔(ｗ′)を保持する間隔保持体(11)を配置し、当該間隔保持体にワイヤロープ(8)を掛止し、網状体(7)の網目(71)の中に配置した別のロープを各間隔保持体(11)に掛止してロープ枠体(12)を形成した請求４又は請求項５記載の法面工事における崩壊予防工法に用いる法面被覆保護具。
【発明の詳細な説明】
【０００１】
【発明の属する技術分野】
本発明は法面工事における崩壊予防工法及びその工法に用いる法面被覆保護具に関するものであり、崩落し易い法面又は将来的に崩落の危険がありそうな法面に金網を覆った後に当該金網の上から複数本のワイヤロープをアンカーボルトに上下方向に山・谷が交互してジグザグ状に掛け渡して成形した網状体を法面に満遍なく押圧密着するように張設したことを目的とする。
【０００２】
【従来の技術】
一般に崩落し易い法面や崩落が予測される法面に張設する金網は、その金網の平面に複数本ワイヤロープを縦横に配設し、各ワイヤロープの両端部をアンカーで掛止して引張固定し、縦横のワイヤロープの交差部と金網を打設し、中間に位置するアンカーで支持し、金網と縦横ワイヤロープを張設した構造になっている。
【０００３】
ところが、前記従来の金網を覆った縦横のワイヤロープは、多数の本数のワイヤロープとアンカーボルトを用意するする必要がある。また、各ワイヤロープの張設やその交差部における連結などに多くの手間を要して作業の効率が悪く、且つ危険も伴っていた。
【０００４】
そこで、多数本のワイヤロープを多数の打設した中間部アンカーあるいはその一部に代えたガイド金具に順次に掛け渡し又は支持させ、且つ順次に逆方向のジグザグ状に配置して網目状とし、各ワイヤロープの両端部を端部アンカーに連結して張設した落石等防護ネットが知られている（特開平11−193510号）。
これによって、ロープやアンカーの本数を大幅な削減が可能となる。また、２本のワイヤロープを逆方向の掛け渡しにより、中間部アンカーやガイド金具にほぼ均等に負荷がかかってアンカー性能、信頼性が高められる等効果があるとされている。
【０００５】
【発明が解決しようとする課題】
ところが、上記の中間部アンカーのほかガイド金具を併用した落石等防護ネットにあっては、そのガイド金具を用いて隣接するワイヤロープ同士を結合するのに１個のガイド金具の部位にあっては、法面ないし金網から浮き上がるおそれがあり、金網を押さえる効果が少ないことは否めない。
【０００６】
【課題を解決するための手段】
そこで、本発明は従来の課題を解決し、且つ発明の目的達成するために提供するものである。本発明の第１は、法面工事における崩壊予防工法において、法面に所定の間隔を保持して平面視でほぼマス目状に複数本のアンカーボルトを装入固定し、そのアンカーボルトの頭部を法面から突出させておき、アンカーボルトの頭部の付近にはあらかじめ金網体の下面を支受する下受板を装着しておき、且つ法面に沿って金網体を覆って張設し、アンカーボルトの頭部は金網体の網目を通じて上方に突出しておき、前記アンカーボルトの頭部に上支受体とナットを装着しておき、前位のワイヤロープを金網体平面と上支受体の間におけるアンカーボルトに上下方向に山・谷が交互してジグザグ状になるように掛け渡し、隣接する次位のワイヤロープを前位のワイヤロープを掛け渡したアンカーボルトに当該前位のワイヤロープと逆方向になるように上下方向に山・谷のジグザグ状に掛け渡しながら網状体を成形していき、且つ前位と次位の２本で一対のワイヤロープの両端末部位を巻付グリップで結合し、当該網状体を金網体に結合コイルで取付けたものである。
【０００７】
本発明の第２は、法面工事における崩壊予防工法において、法面の縦方向に掘削して設けた排水溝を挟んで間伐丸太を対向横方向で、且つ当該排水溝に向けて下向きに傾斜して配設し、及び当該丸太材を丸太受け用木杭を法面に打ち込んで丸太を支受し、且つ丸太間に植生基盤材を吹き付けて植生基盤を施した表面にマルチネット体を張設固定した法面に、所定の間隔(W)を保持して平面視でほぼマス目状に複数本のアンカーボルトを装入固定し、そのアンカーボルトの頭部を法面から突出させておき、アンカーボルトの頭部の付近にはあらかじめ金網の下面を支受する下受板を装着しておき、且つ法面に沿って金網体を覆って張設し、アンカーボルトの頭部は金網体の網目を通じて上方に突出しておき、前記アンカーボルトの頭部に上支受体とナットを装着しておき、前位のワイヤロープを金網体平面と上支受体の間におけるアンカーボルトに上下方向に山・谷が交互してジグザグ状になるように掛け渡し、隣接する次位のワイヤロープを前位のワイヤロープを掛け渡したアンカーボルトに当該前位のワイヤロープと逆方向になるように上下方向に山・谷のジグザグ状に掛け渡しながら網状体を成形していき、且つ前位と次位の２本で一対のワイヤロープの両端末部位を巻付グリップで結合し、当該網状体を金網体に結合コイルで取付けたものである。
【０００８】
本発明の第３は、上記第１の発明又は第２の発明に係る法面工事における崩壊予防工法において、前位のワイヤロープをアンカーボルトに上下方向に山・谷が交互してジグザグ状に掛け渡した後に、隣接する次位のワイヤロープを前位のワイヤロープを掛け渡してあるアンカーボルトに掛止する際に当該前位のワイヤロープの上から下に潜らして掛け渡しながら網状体を成形したものである。
【０００９】
本発明の第４は、法面工事における崩壊予防工法に用いる法面被覆保護具において、法面に所定の間隔を保持して平面視でほぼマス目状に装入固定した下受板を装着した複数本のアンカーボルトと、法面に沿って覆って張設した金網体と、当該金網体の平面と金網体のマス目から突出したアンカーボルトに装着した上支受体の間にワイヤロープを上下方向に山・谷が交互してジグザグ状に掛け渡して形成した網状体とから成り、金網体と網状体を適宜の個所で結合コイルで結合し、且つアンカーボルトに巻き掛けて対向する２本一対のワイヤロープ端末部位に巻付グリップを取付けたものである。
【００１０】
本発明の第５は、上記第４の発明に係る法面工事における崩壊予防工法に用いる法面被覆保護具において、前位のワイヤロープをアンカーボルトに掛け渡した前位のワイヤローに対して隣接する次位のワイヤロープを上から下に潜らせて掛け渡しながら網状体を成形したものである。
【００１１】
本発明の第６は、上記第４の発明又は第５の発明に係る法面工事における崩壊予防工法に用いる法面被覆保護具において、ワイヤロープを複数本とし、その複数本のワイヤロープを各アンカーボルトにマス目状に掛け渡すときに一纏めにし、且つ当該ロープを掛け渡した２本一対のアンカーボルト間の中程において複数本のワイヤロープを所定の間隔を保持する間隔保持体を配置し、当該間隔保持体にワイヤロープを掛止したものである。
【００１２】
本発明の第７は、上記第４の発明又は第５の発明に係る法面工事における崩壊予防工法に用いる法面被覆保護具において、ワイヤロープを複数本とし、その複数本のワイヤロープを各アンカーボルトにマス目状に掛け渡すときに一纏めにし、且つ当該ロープを掛け渡した２本一対のアンカーボルト間の中程に複数本のワイヤロープを所定の間隔を保持する間隔保持体を配置し、当該間隔保持体にワイヤロープを掛止し、網状体の網目の中に配置した別のロープを各間隔保持体に掛止してロープ枠体を形成したものである。
【００１３】
【実施例】
次に本発明の実施例を説明する。１は法面、２はその法面に所定の間隔Ｗを保持して平面視でほぼマス目状に配列すると共に、地中に装入して固着した複数本のアンカーボルト、３は法面に沿って張設した金網体であり、当該金網体の網目３′を通してアンカーボルト２の頭部２1を突出させてある。
【００１４】
４はアンカーボルト２の頭部付近に装着した下支受板であって金網体３の下面を支受している。当該下受板には、図５・図６のほか、図７のようにボルト孔４１から外方に向かって深くなる傾斜凹溝４０を成形する。これによって、アンカーボルトに掛け渡して上から下に潜らして交差したワイヤロープを安定に保持できる。
【００１５】
５は金網体１の平面を支受する上支受体であり、この上支受体にも下支受板４の傾斜凹溝４０と同じようにボルト孔５1から外方に向かって深くなる傾斜凹溝４０′を成形するものとする。６はアンカーボルト２の頭部２１にねじ込むナット、７は金網の平面上を覆った網状体、８はその網状体７を成形するための複数本のワイヤロープであり、２列のアンカーボルト２に上下方向に山・谷が交互してジグザグ状に掛け渡し、その両端部を引張して２本一対で固定すると共に、この前位のワイヤロープ８′と次位のワイヤロープ８″のアンカーボルト２への掛け渡しを繰り返して網目７1を有する網状体７を形成する。
【００１６】
９は金網の所定個所においてワイヤロープ８に結合した結合コイル、１０は2本で一対のワイヤロープ８の端部を連結した巻付グリップ、１１は複数本（図８〜図１０で３本）のワイヤロープ８1・８2・８3を所定の間隔ｗ′で拡げた間隔保持体であり、ワイヤロープを収める凹溝を有する間隔保持体とこれを支受する受け板をボルトで結合してある。１２は複数本のワイヤロープで形成した網状体７の網目７1（図８・図９の鎖線部分）内において、各間隔保持体１１に補助ロープを掛止したロープ枠体である。
【００１７】
【具体的な施工例】
次に本発明の施工例を説明する。
「法面１に対する金網体３及び網状体７の張設」
（１）  法面１に所定の間隔Ｗを保持して平面視でほぼマス目状に複数本のアンカーボルト２の装入位置に孔Ｈをあけ、その孔にアンカーボルト２の頭部２1を法面１から突出して装入した後、その孔内にセメントミルクＳを注入して当該アンカーボルトを固定する。
（２）  アンカーボルト２の頭部２1の付近にはあらかじめ金網体３の下面を支受する下支受板４を装着しておく。
（３）  法面に沿って金網体３を覆って張設する。このとき、アンカーボルトの頭部２1は金網体の網目３′を通って上方に突出している。
（４）  前記アンカーボルトの頭部２1に上支受体５とナット６を結合しておく。
（５）  前位のワイヤロープ８′を２列のアンカーボルト２における金網体３の平面上と上支受体５の間に上下方向に山・谷が交互してジグザグ状に掛け渡す。そして、そのワイヤロープ８′・８″の両端部をアンカーボルト２に仮固定する。
（６）  前記（５）と同様に隣接する次位のワイヤロープ８″を、その上端部は前位のワイヤロープ８′の上端部と巻付グリップ１０を介して結合した後、前記の（５）において前位のワイヤロープ８′を掛け渡したアンカーボルト２と同じアンカーボルトに掛け渡し、その下端部は前位のワイヤロープの下端部と共に引張した後に当該両下端部を巻付グリップ１０を介して連結固定する。この場合、上下端部のアンカーボルト２に掛止固定することもある。
（７）  以下、同じ要領で順次に前位と後位のワイヤロープ８′・８″の掛け渡しを繰り返して図３・図４に示すような網状体７を成形する。
【００１８】
「排水溝工の施工後の法面１に金網体３及び網状体７の張設（図１１〜図１２）」
（１）  法面１の所定個所の排水溝Ｃを縦方向に掘削し、その排水溝を挟んで丸太材１３を対向横方向で、且つ排水溝に向けて下向きに傾斜して配設し、当該丸太を木杭１４で支受し、上下方向の丸太間に植生基盤材を吹き付けて植生基盤１５を成形して排水溝工を施工する。
（２）  当該段落「００１８」（１）の法面１に対する金網体３及び網状体７の張設工程は、段落「００１７」の（１）〜（７）と同じ。
【００１９】
「マルチネット張り工後の法面１に金網体３及び網状体７の張設（図１３・図１４」
（１）  排水溝工において、法面１に丸太伏せした丸太１３の上部に植生基盤材を吹き付けて植生基盤１５を成形し、その植生基盤の平面にマルチネット材１６を張設した後に植栽位置に穴を開けて苗木１７を植栽する。
（２） 当該段落「００１９」（１）の法面１に対する金網体３及び網状体７の張設工法は、段落「００１７」の（１）〜（７）と同じ。
【００２０】
「ワイヤロープを複数本とし、間隔保持体１１を介して所定間隔ｗ′で拡げ、且つ補助ロープでロープ枠体１２を形成する工程」
（１）  法面１に対する金網体３の張設工法は、段落「００１８」の（１）〜（４）と同じ。
（２）  ワイヤロープ８を複数本８1・８2・８3とし、これをアンカーボルト２に掛け渡すときに傾斜溝４０・４０′に収めて平面的に並べて一纏めにしておき、当該ワイヤロープを掛け渡した２本のアンカーボルト２・２間の中程において、間隔保持体１１によって、所定の間隔ｗ′で拡げた状態を保持し、ワイヤロープを収める凹溝を有する間隔保持体と、これを支受する前位のワイヤロープ８′を２列のアンカーボルト２の金網体３の平面上と上支受体５の間に上下方向に山・谷が交互してジグザグ状に掛け渡す。そして、その各ワイヤロープ８の両端部をアンカーボルトで仮固定する。
（３）  前記（２）と同様に隣接する後位のワイヤロープ８″を、その上端部は前位のワイヤロープ８′の上端部と巻付グリップ１０を介して結合した後、前記（２）において前位のワイヤロープ８′を掛け渡したアンカーボルト２と同じアンカーボルトに掛け渡し、その下端部は前位のワイヤロープの下端部と共に引張した後に当該両下端部を巻付グリップ１０を介して連結固定する。
（４）  以下、同じ要領で順次に前位と後位のワイヤロープ８′・８″の掛け渡しを繰り返して図３・図４に示すような網状体７を成形する。
（５）  前記（４）で成形した網状体７の網目７1内において、補助ロープを間隔保持体１１に掛止してロープ枠体１２を形成する。
（６）  以下、同じ要領で順次に前位と後位のワイヤロープ８′・８″のロックボルト２への掛け渡しを繰り返して図９・図１０に示すような網状体７を成形する。
【００２１】
【発明の効果】
本発明は上記の構成であるから次のような効果がある。すなわち、法面に平面視でほぼマス目状にアンカーボルトを配列して地中に装入して固定しておき、そのアンカーボルトの上から金網体を覆った後、その平面上においてワイヤロープをアンカーボルトに上下方向に山・谷が交互してジグザグ状に掛け渡し且つ潜らして網状体を成形したことによって金網体と網状体を確実に法面に押圧密着することができる。これによって、法面の不安定土層のすべり力に対する抵抗力が大幅に向上する。しかも、法面との結合力を失った落石や土塊を安定的に固定することができる。
【００２２】
また、本発明に係る法面工事における崩壊予防工法及びその工法に用いる法面被覆保護具に排水溝工及びマルチネット張り工を併用することによってその排水溝工の効果及びマルチネット張り工の効果がより一層向上する。
【００２３】
さらに、１本のアンカーボルトに掛け渡した前位のワイヤロープに後位のワイヤロープを掛け渡す際に、当該前位ロープの上から下に絡み付くように潜らせることによって、その緊張力が保持される共に、万一アンカーボルトから外れたり、アンカーボルトが折損したりしても、その部位からワイヤロープが離反したりばらけるようなことがなく、金網体と共に網状体の法面への押圧密着力を保持することができる
【００２４】
ワイヤロープを複数本とし、その複数本のワイヤロープの中程を間隔保持体で所定間隔で拡げたことによって金網体及び法面への押圧の伝達する力が増大する。
【００２５】
また、網状体の網目の内側において補助ロープをワイヤロープの間隔保持体に掛止してロープ枠体を形成したことに網状体の網目内における法面の崩壊等による中抜けを防止することができる。
【００２６】
下支受体又は上下の支受体にワイヤロープのアンカーボルトへの掛け渡し部に凹溝を形成したことによって、当該アンカーボルト部位におけるワイヤロープを安定して保持することができる。
【図面の簡単な説明】
【図１】  本発明に係る法面工事における崩壊予防工法において、法面にアンカーボルトを装入固定した正面図である。
【図２】  図２の状態から金網を張設した正面図である。
【図３】  図２の状態からアンカーボルトにワイヤロープを上下方向に山・谷が交互してジグザグ状に掛け渡して網状体を成形した正面図である。
【図４】  図３の一部の拡大正面図である。
【図５】  アンカーボルトに前位と次位の２本のワイヤロープ掛け渡した状態の平面図である。
【図６】  図５の斜視図である。
【図７】  図６の変形例を示す斜視図である。
【図８】  図４の変形例を示す平面図である。
【図９】  図８の一部の拡大平面図である。
【図10】  複数本のワイヤロープを所定の間隔で拡げて保持した間隔保持体の斜視図である。
【図11】  木杭と丸太による排水工の縦断面図である。
【図12】  図１１の排水溝“Ａ”部の拡大面図である。
【図13】  木杭と丸太付せによる土留工を施工した縦断面図である。
【図14】  図１３の拡大面図である。
【符号の説明】
１    法面
２    アンカーボルト
３    金網体
４    下支受体
５    上支受体
６    アンカーボルトのナット
７    網状体
８    ワイヤロープ
９    結合コイル
１０    巻付グリップ
１１    ワイヤロープの間隔保持体
１２    ロープ枠体
１３    排水工の丸太
１４    排水工の丸太を受ける木杭
１５    植生基盤
１６    マルチネット
１７    苗木・低木等の植栽物
Ｈ    アンカーボルトの装入孔
Ｓ    セメントミルク
【図１】
0003778505.tif 000002
【図２】
0003778505.tif 000003
【図３】
0003778505.tif 000004
【図４】
0003778505.tif 000005
【図５】
0003778505.tif 000006
【図６】
0003778505.tif 000007
【図７】
0003778505.tif 000008
【図８】
0003778505.tif 000009
【図９】
0003778505.tif 000010
【図１０】
0003778505.tif 000011
【図１１】
0003778505.tif 000012
【図１２】
0003778505.tif 000013
【図１３】
0003778505.tif 000014
【図１４】
0003778505.tif 000015